(57)【要約】  【課題】  草刈り刃全体を出来る限り使用し、長期間の使用を可能とした低コストの草刈り刃を提供する。【解決手段】  上部に刃Ｂ（４）を付け、下部に取り付け穴Ｂ（５）を明けた事で、刃Ａ（３）が両側共に磨耗した場合でも、取り付け穴Ｂ（５）をホルダー（９）の取り付け穴Ｃ（１０）へボルト等を用いて装着し、上下の入れ替えを行い刃Ｂ（４）が両側共に磨耗するまで使用できる。そうした事で長期間使用出来、コスト削減を可能とした。【選択図】図１
2010057445.tif 000002
【特許請求の範囲】
【請求項１】
草刈り機械の草刈り刃を、従来の草刈り刃の刃部は下部両側面だけであったのに対し、上部両側面にも刃を付け、本来下部の刃が両側とも磨耗した場合に破棄していた物を、上下を付け替える事で無駄なく使用できる草刈り刃。
【発明の詳細な説明】
【技術分野】
【０００１】
本発明は、草等を刈り払う作業と、細かく粉砕する作業とができる回転式草刈り刃に関するものである。
【背景技術】
【０００２】
自走式草刈り機の回転するローターと呼ばれる部分に、基本二枚一組にした草刈り刃をローターのホルダーと呼ばれる部分にボルト等を用いて装着する。
【０００３】
ボルト等が脱落するのを防止する為、抜け止めの処置を行う。
草刈り刃の装着状態は、ボルト等を軸にフリーとなっている。
【０００４】
草刈り刃の形状は、ホルダー部に装着する為のボルト等を通す取り付け穴が上部に有り、下部には草等を刈り払う為の刃と曲げ加工を施している。
【０００５】
ホルダー部に装着する際には、基本同じ形状の草刈り刃を曲げが互いに逆方向になる様に密着させ装着する。
【０００６】
一つのローターに多数あるホルダー全てに、草刈り刃を基本二枚一組で装着し、ローターを高速回転させることで草刈り刃が遠心力により外向きに起立し、その状態を保持したまま草等を刈り払う仕組となっている（例えば、特許文献１参照。）。
【０００７】
高速回転している草刈り刃が、障害物（石や金属等）に当り強い衝撃を受けた場合、ボルト等を軸にフリーとなっている為に回転方向と逆に弾かれ、衝撃を緩和する事で刃の欠けや割れを防止する構造となっている。
【０００８】
ローターは常に同じ方向に回転している為に、草刈り刃の二面ある刃の片側がまず磨耗していき、切れ味が落ち草等を上手く刈り払えなくなった場合、一つのホルダーに装着されている二枚の草刈り刃の位置を入れ替え、磨耗していない刃部を回転方向に合わせる事で再度使用出来る仕組となっている。
【０００９】
【特許文献１】特開２００８−３５８４０
【発明の開示】
【発明が解決しようとする課題】
【００１０】
従来技術の草刈り作業では、長時間草刈り刃を使用し続けた場合、刃部が磨耗し切れ味が落ちてしまい草等を上手く刈り払う事が出来なくなる。
【００１１】
片側の刃が磨耗した場合、一つのホルダーに装着されている二枚の草刈り刃の位置を入れ替える事で再度使用できるが、入れ替え後に再度長時間使用し刃部が磨耗した事で切れ味が落ちた場合、使用不可と判断され残りの部分は破棄するということが通常行われている。
【００１２】
しかし、従来技術の草刈り刃全体を見た場合、刃部の締める割合というのは半分に満たない程度で有る為、刃部以外の部分は非常に無駄な扱いとなっている。
【００１３】
以上の様なことから、草刈り刃全体を出来る限り使用できる低コストの草刈り刃の開発が望まれるところである。
【００１４】
本発明は、以上の様な課題を解決するもので、草刈り刃全体を出来る限り使用し、長期間の使用を可能とする事で、コスト削減を図った草刈り刃を提供しようとするものである。
【課題を解決するための手段】
【００１５】
通常下部両側面にしか付いていない刃を上部両側面にも付け、上部にしか明けていない取り付け穴を下部にも明けた。
【００１６】
本発明は、以上の構成よりなる一枚を無駄なく使用出来る草刈り刃である。
【発明の効果】
【００１７】
本発明は、上部に刃B（４）を下部に取り付け穴B（５）を明けた事で、下部の刃A（３）が磨耗しても、ホルダー（９）に取り付け穴B（５）を利用して装着する事で上下を入れ替え再度使用できる。
【００１８】
従来技術の草刈り刃B（６）では、下部の刃C（７）が両面磨耗した場合破棄していた物を、本発明の草刈り刃Ａ（１）では、上下を入れ替え再度使用でき草刈り刃全体を無駄なく使用することが出来る。
【００１９】
以上の事から、本発明の草刈り刃A（１）と従来技術の草刈り刃Ｂ（６）を比較した場合、本発明の草刈り刃A（１）では草刈り刃の交換時期を延ばすことが出来、そうしたことでコスト削減を可能とした。
【発明を実施するための最良の形態】
【００２０】
本発明の草刈り刃A（１）を、自走式草刈り機のローター（８）部のホルダー（９）の取り付け穴C（１０）と、本発明の草刈り刃Ａ（１）の取り付け穴A（２）へボルト等を挿し通し装着する。
【００２１】
ボルト等が脱落するのを防止する為、抜け止めの処置を行う。ローター（８）は、自走式草刈り機へ地面と平行に設置されている。
【００２２】
本発明の草刈り刃A（１）の装着状態は、ボルト等を軸にフリーの状態となっており、多数有る全てのホルダー（９）にも同様に装着する。
【００２３】
以上の様に構成したので、ローター（８）が基点（１１）を中心に高速回転することで、遠心力により本発明の草刈り刃Ａ（１）が矢印B（１３）方向に起立する。
【実施例】
【００２４】
本機エンジン（１５）からの動力を、プーリＡ（１８）とベルトａ（１９）を利用し、ミッション（１６）に装着してあるプーリＢ（２０）へ伝達させる。
【００２５】
エンジン（１５）の動力は、ミッション（１６）により変速等が行われ、プーリＣ（２１）とベルトｂ（２２）を利用し、シャフト（１７）に装着してあるプーリＤ（２３）へ伝達させ、シャフト（１７）を回転させる。
【００２６】
プーリＤ（２３）によりシャフト（１７）へ伝達した動力は、シャフト（１７）に装着されているプーリＤ（２３）と反対側に装着されているプーリＥ（２４）とベルトｃ（２５）を通じて、ローター（８）と連結しているプーリＦ（２６）へ伝達される。
【００２７】
エンジン（１５）を高回転にすることで、ローター（８）が高速回転し、ホルダー（９）に装着されている草刈り刃Ａ（１）が矢印Ｂ（１１）方向に起立した状態になる。
【００２８】
作業回転径（１４）内で矢印Ａ（１２）方向に高速回転している本発明の草刈り刃Ａ（１）は、刃A（３）が草等に達した時、勢い良く切り込み刈り払う。
【００２９】
ローター（８）は、常に同じ方向に回転している為に刃A（３）の片側が磨耗し、ホルダー（９）に装着されている二枚の本発明の草刈り刃Ａ（１）の位置を入れ替える事で、新しい刃により再度草刈り作業を行える。
【００３０】
長時間の使用により刃Ａ（３）が両側とも磨耗した場合、取り付け穴Ｂ（５）を利用し上下を入れ替えることで、刃Ｂ（４）の両側が磨耗し切れ味が落ちてしまうまで使用する事が出来る。
【図面の簡単な説明】
【００３１】
【図１】本発明の草刈り刃正面図及び側面図
【図２】従来技術の草刈り刃正面図及び側面図
【図３】簡略した本発明の草刈り刃装着図
【図４】（図３）側面図
【図５】自走式草刈り機簡略図
【符号の説明】
【００３２】
１  草刈り刃Ａ
２  取り付け穴Ａ
３  刃Ａ
４  刃Ｂ
５  取り付け穴Ｂ
６  草刈り刃Ｂ
７  刃Ｃ
８  ローター
９  ホルダー
１０  取り付け穴Ｃ
１１  基点
１２  矢印Ａ
１３  矢印Ｂ
１４  作業回転径
１５  エンジン
１６  ミッション
１７  シャフト
１８  プーリＡ
１９  ベルトａ
２０  プーリＢ
２１  プーリＣ
２２  ベルトｂ
２３  プーリＤ
２４  プーリＥ
２５  ベルトｃ
２６  プーリＦ
【図１】
2010057445.tif 000003
【図２】
2010057445.tif 000004
【図３】
2010057445.tif 000005
【図４】
2010057445.tif 000006
【図５】
2010057445.tif 000007